(57)【特許請求の範囲】
【請求項１】
かご室の上側に設けられ、先端が先細りした整流カバーと、該整流カバーの前記かご室の出入口側を塞ぐように設けられ、前記かご室の上面に垂直方向に立設された整風板とを有し、前記かご室の昇降時に受ける空気抵抗を緩和するエレベータの整風カバーにおいて、
前記整風板は、三つに分割されており、分割された内の二つが前記かご室の出入口の開閉方向に移動する可動部整風板、
を備えたことを特徴とするエレベータの整風カバー。
【請求項２】
前記可動部整風板は、前記かご室の出入口の開閉方向に移動した際に、少なくとも一つが被可動部に対して重なることを特徴とする請求項１に記載のエレベータの整風カバー。
【請求項３】
前記可動部整風板は前記整流カバーに対して隙間を有して移動し、この隙間を塞ぐ避風部材を備えたことを特徴とする請求項１または２に記載のエレベータの整風カバー。
【請求項４】
前記整風板は、中央部に前記かご室に固定された固定部整風板と、該固定部整風板の上下部に設けられて、前記可動部整風板の移動を案内するガイド部とを備え、前記可動部整風板は、通常状態は前記固定部整風板の両側に設けられ、前記かご室の出入口の開閉方向に移動した際に、前記固定部整風板に対して重なることを特徴とする請求項２または３に記載のエレベータの整風カバー。
【請求項５】
前記ガイド部の両端に設けられ、前記可動部整風板が前記固定部整風板の両側へ移動する際に、この移動を制限する外れ防止部材を備えたことを特徴とする請求項４に記載のエレベータの整風カバー。
【発明の詳細な説明】
【技術分野】
【０００１】
この発明は、エレベータのかご室の上面に設けられ、かご室が昇降する際にかご室の上面に当る空気を整流して空気騒音を低減する整風カバーに関するものである。
【背景技術】
【０００２】
従来のエレベータの整風カバーは、かご室の上側に設けられ、下方から上方に向かって先細りした流線形を呈する湾曲カバーを備えている。そして、整風板（エプロンカバー）が湾曲カバーのかご室の出入口側を塞いでいる。この整風板は、かご室の幅とほぼ同じ幅で垂直に立設されており、湾曲カバーに対してかご室の幅方向に羽を広げたようになっている。湾曲カバーは、かご室が昇降するとき空気抵抗を受けるが、流線形であるので空気が整流され空気騒音を低減できるようになっている。しかしながら、もし、整風カバーが湾曲カバーのままだと、かご室が昇降して乗場を通過するとき、湾曲カバーは先細りしているので乗場出入口に対して通過する面が変化する。これにより、湾曲カバーの表面から乗場出入口へ空気が流入し、これが騒音として発生する。整風板はこれを防止したものであり、湾曲カバーのかご室の出入口側をかご室とほぼ同じ幅に覆っているので、乗場出入口に対して通過する面が変化することがなく、騒音を低減できるようにしている。このように、整風カバーは、かご室が昇降するときの空気騒音を低減できるようになっている。（例えば、特許文献１参照）
【先行技術文献】
【特許文献】
【０００３】
【特許文献１】特開平６−３２９３７２号公報（第６−７頁、第９図）
【発明の概要】
【発明が解決しようとする課題】
【０００４】
上記の整風カバーが設けられたエレベータにおいて、昇降路内機器を保守点検する際、保守員はかご室上部に載り、かご室を昇降させながら作業を行う。このとき、湾曲カバーの上面に点検口を設け、この点検口から保守員が身を乗り出し作業を行う。しかしながら、整風板が湾曲カバーに対してかご室の幅方向に広がっているので、例えば乗場側の昇降路内機器を保守点検する際、整風板が邪魔となって作業が困難となるといった問題点があった。
本発明は、かかる問題を解決するためになされたもので、その目的は、整風板を有した整風カバーであっても、保守点検の作業性を向上できるエレベータの整風カバーを得ることである。
【課題を解決するための手段】
【０００５】
この発明に係るエレベータの整風カバーは、先端が先細りした整流カバーと、整流カバーのかご室の出入口側を塞ぐように設けられた整風板を備え、整風板を二つ以上に分割し、分割された少なくとも一つがかご室の出入口の開閉方向に移動する可動部整風板を備えたものである。
【発明の効果】
【０００６】
この発明によれば、整風板の一部がかご室の出入口の開閉方向に移動する可動部整風板を備えたので、保守員がかご室上面より整流カバーの外側に身を乗り出して、可動部整風板を開口することで、可動部整風板側にある昇降路内機器にアクセスすることができ、保守点検の作業性をよくすることができる。
【図面の簡単な説明】
【０００７】
【図１】本発明の実施の形態１におけるエレベータの整風カバーを示した、乗場側から視た斜視図である。
【図２】図１の背面側から視た斜視図である。
【図３】図１の矢印Ａ方向から視た側面図である。
【図４】図２の矢印Ｂ方向から視た要部を拡大した図である。
【図５】図２のＣ−Ｃ断面図である。
【図６】図１のＤ−Ｄ断面である。
【図７】図１のＥ部を拡大した図である。
【図８】図７の矢印Ｆ方向から視た図である。
【図９】実施の形態１の整風カバーの使用方法を説明する図で、乗場側から視た斜視図である。
【図１０】図９の背面側から視た斜視図である。
【図１１】本発明の実施の形態２におけるエレベータの整風カバーを示した、乗場側から視た斜視図である。
【図１２】図１１の背面側から視た斜視図である。
【図１３】図１１のＧ−Ｇ断面図である。
【発明を実施するための形態】
【０００８】
以下、本発明の実施の形態について詳細に説明する。
実施の形態１．
図１は、本発明の実施の形態１におけるエレベータの整風カバーを示した、乗場側から視た斜視図で、図２は図１の背面側から視た斜視図である。図３は、図１の矢印Ａ方向から視た側面図であり、図４は図２の矢印Ｂ方向から視た要部を拡大した図である。図５は図２のＣ−Ｃ断面図であり、図６は図１のＤ−Ｄ断面図である。図７は図１のＥ部を拡大した図であり、図８は図７の矢印Ｆ方向から視た図である。
図において、かご室１には出入口１ａにドア１ｂが設けられ、乗客あるいは保守員がこのドア１ｂを開閉することでかご室１内に出入りする。かご室１の上部には、整風カバー２が設けられている。整風カバー２は、下方から上方に向かって先細りした流線形をなす整流カバー３を備えている。また、整風カバー２には、整風板４が、かご室１の出入口１ａ側の整流カバー３の側面を塞ぐように設けられている。整風板４は３分割されて、固定部整風板５と、固定部整風板５の両側に配置された第１の可動部整風板６及び第２の可動部整風板７とで構成されている。固定部整風板５はかご室１の上面の出入口１ａ側中央に垂直に立設されている。そして、固定部整風板５の出入口１ａ側の側面の上部に出入口１ａの開閉方向に延びた上部ガイド８が設けられている。また、上部ガイド８の下方に対向して、かご室１上面に下部ガイド９が設けられている。この上部ガイド８には、下方に開口した凹状を呈した溝８ａが出入口１ａの開閉方向に亘って形成され、同様に下部ガイド９には、上方に開口した凹状を呈した溝９ａが形成されている。
【０００９】
第１の可動部整風板６は、上部及び下部にガイドシュー６ａ、６ｂが設けられており、このガイドシュー６ａ、６ｂがそれぞれ溝８ａ、９ａに係合されている。これにより、第１の可動部整風板６が上部ガイド８及び下部ガイド９に摺動可能に移動され、固定部整風板５に対して出入口１ａの開閉方向に開閉される。また、第１の可動部整風板６は、出入口１ａの開閉方向に移動した際に、被可動部である固定部整風板５に対して重なっている。第２の可動整風板７についても同様に、ガイドシュー７ａ、７ｂがそれぞれ溝８ａ、９ａに係合されて、固定部整風板５に対して出入口１ａの開閉方向に開閉される。そして、固定部整風板５には、第１、第２の可動部整風板６，７を固定する固定部材１０が設けられている。この固定部材１０は、Ｌ形ブラケット１０ａとボルト１０ｂを備えており、Ｌ形ブラケット１０ａの一面が固定部整風板５の側面に固定さている。第１、第２の可動部整風板６，７が固定部整風板５の両側に移動した際、Ｌ形ブラケット１０ａの他面が第１、第２の可動部整風板６，７にボルト１０ｂによって固定される。
【００１０】
第１及び第２の可動部整風板６、７は移動するため、整流カバー３の側面は第１及び第２の可動部整風板６、７に対して隙間を有している。この隙間を塞ぐように、整流カバー３の側面に遮風部材１１が取り付けられている（図５参照）。この遮風部材１１は、例えばゴム等の弾性体が好ましく、第１及び第２の可動部整風板６、７が通常状態に配置した際、即ち固定部整風板５の両側に移動した際に、第１及び第２の可動部整風板６、７に弾性力で接触するようになっている。
【００１１】
また、固定部整風板５と第１、第２の可動部整風板６，７にも隙間を有しており、この隙間を塞ぐように、固定部整風板５の両側面に遮風部材１２が取り付けられている（図６参照）。この遮風部材１２は、例えばゴム等の弾性体が好ましく、第１及び第２の可動部整風板６、７に弾性力で接触するようになっている。
【００１２】
さらに、下部ガイド９の両端部には、外れ防止部材１３が設けられている。この外れ防止部材１３は、溝９ａにネジ穴が形成され、このネジ穴に取り付けられたボルト１３ａ及びワッシャ１３ｂで構成されている。そして、第１、第２の可動部整風板６，７が固定部整風板５の両側に移動した際、第１、第２の可動部整風板６，７の端部とボルト１３ａとが当接する。これにより、第１、第２の可動部整風板６，７の移動を制限している。
【００１３】
また、固定部整風板５には、出入口１ａ側に扉５ａが取り付けられており、この扉５ａを開閉することで、保守員がかご室１上部に出入りする。さらに、整流カバー３の両側には、点検口３ａが設けられており、この点検口３ａを塞ぐ点検扉３ｂが取り付けられている。この点検扉３ｂを開閉することで、保守員が点検口３ａから整流カバー３の外側に身を乗り出して作業を行う。
【００１４】
次に、保守員が昇降路内機器を保守点検する際に、整風カバー２の使用方法について図１、９、１０を用いて説明する。図９は、整風カバー２の使用方法を説明する図で、第１の可動部整風板６を開口した状態を示す図である。図１０は図９の背面側から視た図である。
通常状態は、図１に示すように第１、２の可動部整風板６，７は固定部整風板５の両側に配置されている。そして、保守員がかご室１上面より昇降路内機器を保守点検する際に、次のように作業を行う。まず、保守員はエレベータを操作し、かご室１の上面を乗場床面に合わせて、乗場から乗場ドアを開ける。次に、固定部整風板５の扉５ａを開け、かご室１の上面に入って扉５ａを閉める。そして、保守員は、点検扉３ｂを開け点検口３ａから身を乗り出す。次に、固定部材１０のボルト１０ｂを外して第１の可動部整風板６の固定を解除し、図９，１０に示すように第１の可動部整風板６を固定部整風板５側へ移動させる。これにより、第１の可動部整風板６が開口されて、保守員は、例えば乗場ドア装置１４などの乗場側の昇降路内機器にアクセスして作業を行う。そして、作業終了後、上記と逆の手順で第１の可動部整風板６を元の位置に戻し、固定部整風板５に固定して、乗場に移動する。なお、保守員は、第２の可動部整風板７についても、同様に開口することで、固定部整風板５の両側から保守点検を行う。
【００１５】
以上の実施の形態１におけるエレベータの整風カバーは、次に示す効果を奏する。
本発明の実施の形態１は、整流カバー３のかご室１の出入口１ａ側に設けられた整風板４が分割されて、出入口１ａの開閉方向に移動する第１，２の可動部整風板６，７を備えている。保守員がかご室１上面より整流カバー３の外側に身を乗り出して、これら第１，２の可動部整風板６，７を開口することで、第１，２の可動部整風板６，７側にある昇降路内機器にアクセスすることができ、保守点検の作業性をよくすることができる。
また、第１，２の可動部整風板６，７は、それぞれ開閉方向に移動した際に、被可動部である固定部整風板５に対して重なっているので、第１，２の可動部整風板６，７をかご室１から突出させることなく開閉することができる。そのため、第１，２の可動部整風板６，７を開閉するための余分なスペースが不要となり、昇降路のスペースを必要以上に大きくしなくてすむ。
【００１６】
さらに、整流カバー３の第１，２の可動部整風板６，７側側面に、第１，２の可動部整風板６，７との隙間を塞ぐ遮風部材１１が取り付けられている。これにより、第１及び第２の可動部整風板６、７が通常状態に配置された状態では、かご室１昇降時の気流が整流カバー３と第１，２の可動部整風板６，７との隙間から流入することを防ぎ、空気騒音を低減することができる。
【００１７】
また、整風板４は３分割されて、中央にかご室１に固定された固定部整風板５とその両側に配置された第１，２の可動部整風板６，７で構成している。そして、第１，２の可動部整風板６，７の上側の移動を案内する上部ガイド８が固定部整風板５に固定され、第１，２の可動部整風板６，７の下側の移動を案内する下部ガイド９がかご室１に固定されている。第１，２の可動部整風板６，７の質量は上部ガイド８に支持される。第１，２の可動部整風板６，７が、上部ガイド８が固定される支持箇所から離れるほど、上部ガイド８が第１，２の可動部整風板６，７を支える荷重が増加する。特に、整風板４の出入口１ａの開閉方向の幅が大きい場合、上部ガイド８も長くなり、例えば両端部でかご室１に固定した場合では、第１，２の可動部整風板６，７が移動する際、上部ガイド８の固定支持箇所から大きく離れることになり、上部ガイド８を強固な構造にする必要がある。しかしながら、本実施の形態１によれば、上部ガイド８の中央部が固定され、その両側に第１，２の可動部整風板６，７が配置されているので、第１，２の可動部整風板６，７は上部ガイド８の固定支持箇所から大きく離れることがない。そのため、整風板４の出入口１ａの開閉方向の幅が大きい場合であっても、上部ガイド８を必要以上に強固にしなくて済み、整風板４を簡易な構成とすることができる。
また、可動する部分が第１、第２の可動部整風板６，７のように２箇所あるので、その分、保守点検の作業を行う範囲を広くできる。
【００１８】
さらに、下部ガイド９の両端部に外れ防止部材１３が設けられている。これにより、第１、第２の可動部整風板６，７が固定部整風板５の両側に移動した際、外れ防止部材１３に当接することで、第１、第２の可動部整風板６，７の移動が制限される。そのため、第１、第２の可動部整風板６，７を開閉する際、上部ガイド８及び下部ガイド９から外れることがなく、保守員は安心して開閉することができる。
さらに、固定部整風板５には、第１、第２の可動部整風板６，７を固定する固定部材１０が設けられているので、第１、第２の可動部整風板６，７を通常状態に配置した際に確実の固定できる。
【００１９】
実施の形態２．
図１１は、本発明の実施の形態２におけるエレベータの整風カバーを示した、乗場側から視た斜視図である。図１２は図１１の背面側から視た斜視図である。図１３は図１１のＧ−Ｇ断面図である。
実施の形態１の整風板４は、３分割して中央に固定された固定部整風板５とその両側に移動可能な可動部整風板６，７とで構成した。これに対して、実施の形態２は、整風板が３分割されて、分割された部分全てが移動可能としたものである。以下にその詳細を説明する。
整風板２０は３分割されて、中央に第３の可動部整風板２１とその両側に第１，２の可動部整風板６，７とで構成されている。これらの可動部整風板６，７，２１は、ガイド部２２によって出入口１ａの開閉方向に移動可能となっている。ガイド部２２は、上側に出入口１ａの開閉方向に延びた上部ガイド２３と、上部ガイド２３の下方に対向して、かご室１上面に取り付けられた下部ガイド２４を備えている。また、ガイド部２２は、上部ガイド２３及び下部ガイド２４の両端にそれぞれ固定された柱２５を備えている。このようにガイド部２２は、上部ガイド２３、下部ガイド２４、柱２５によって枠状に構成されている。上部ガイド２３には、下方に開口した凹状を呈した溝２３ａ、２３ｂが出入口１ａの開閉方向に亘って形成されている。溝２３ａは出入口１ａ側に形成され、溝２３ｂはその逆側で溝２３ａの水平方向に隣接している。同様に下部ガイド２４には、上方に開口した凹状を呈した溝２４ａ、２４ｂが形成されている。
【００２０】
第１の可動部整風板６は、ガイドシュー６ａ、６ｂがそれぞれ溝２３ａ及び溝２４ａに係合されて、上部ガイド２３及び下部ガイド２４に摺動可能に移動する。同様に、第２の可動部整風板７についても、ガイドシュー７ａ、７ｂがそれぞれ溝２３ａ、２４ａに係合されて、上部ガイド２３及び下部ガイド２４に摺動可能に移動する。第３の可動部整風板２１は、上部及び下部にガイドシュー２１ａ、２１ｂが設けられており、このガイドシュー２１ａ、２１ｂがそれぞれ溝２３ｂ、２４ｂに係合されている。これにより、第３の可動部整風板２１は、上部ガイド２３及び下部ガイド２４に摺動可能に移動する。また、第１の可動部整風板６は、被可動部である第３の可動部整風板２１に対して重なるように移動する。同様に、第２の可動部整風板７も、被可動部である第３の可動部整風板２１に対して重なるように移動する。
【００２１】
また、整流カバー３の側面は第１、第２の可動部整風板６，７に対して隙間を有している。この隙間を塞ぐように、整流カバー３の側面に遮風部材２６が取り付けられている（図１２参照）。この遮風部材２６は、先端がブラシ状に形成されて弾性変形するブラシ部２６ａを有している。このブラシ部２６ａが、第１及び第２の可動部整風板６、７が通常状態に配置した際、即ち第３の可動部整風板２１の両側に移動した際に、第１及び第２の可動部整風板６、７に接触するようになっている。また、第３の可動部整風板２１はかご室１の両側に移動して、第１、第２の可動部整風板６，７に重なるように移動する。そのため、整流カバー３の側面は第３の可動部整風板２１に対しても隙間を有している。避風部材２６はこの隙間も塞ぐようになっている。ブラシ部２６ａは、第３の可動部整風板２１がかご室１の両側に移動する際に弾性変形し、第３の可動部整風板２１を通過させるようになっている。そして、第３の可動部整風板２１がかご室１の中央部に移動して、通常状態となった際には、遮風部材２６のブラシ部２６ａが、第１、第２、第３の可動部整風板６，７，２１に接触する。
【００２２】
また、第１、第２の可動部整風板６，７はそれぞれ柱２５に図示しない固定部材で固定されている。そして、第３の可動部整風板２１は両側を固定部材２７を介して、第１、第２の可動部整風板６，７に固定されている。固定部材２７はＬ形ブラケット２７ａとボルト２７ｂ、２７ｃを備えており、Ｌ形ブラケット２７ａの一面が第１、第２の可動部整風板６，７のそれぞれの側面にボルト２７ｂで固定さている。そして、Ｌ形ブラケット２７ａの他面が第３の可動部整風板２１にボルト２７ｃによって固定される。これにより、第１、第２、第３の可動部整風板６，７，２１がかご室１に固定される。
その他、実施の形態１と同符号のものは実施の形態１の相当部分であり、説明を省略する。
【００２３】
次に、保守員が昇降路内機器を保守点検する際に、整風カバーの使用方法について説明する。
通常状態は、図１１に示すように第３の可動部整風板２１はかご室１の中央部に配置され、第１、２の可動部整風板６，７が第３の可動部整風板２１の両側に配置されている。そして、保守員がかご室１上面より昇降路内機器を保守点検する際に、次のように作業を行う。まず、保守員はエレベータを操作し、かご室１の上面を乗場床面に合わせて、乗場から乗場ドアを開ける。次に、固定部材２７を外して、第３の可動部整風板２１を第１、２の可動部整風板６，７のどちらか一方側に移動させる。そして、かご室１の上面に入って第３の可動部整風板２１を元の中央部に移動させる。次に、保守員は、点検扉３ｂを開け点検口３ａから身を乗り出す。そして、第１の可動部整風板６を第３の可動部整風板２１側へ移動させる。これにより、第１の可動部整風板６が開口されて、保守員は、例えば乗場ドア装置１４などの乗場側の昇降路内機器にアクセスして作業を行う。
【００２４】
そして、作業終了後、上記と逆の手順で第１の可動部整風板６を元の位置に戻し、第３の可動部整風板２１を第１、２の可動部整風板６，７のどちらか一方側に移動させて、乗場に移動する。最後に固定部材２７を介して第３の可動部整風板２１を固定する。なお、保守員は、第２の可動部整風板７についても、同様に開口することで、第３の可動部整風板２１の両側から保守点検を行う。
また、保守員は、かご室１の上面において、第１、２の可動部整風板６，７を両側に移動させておいて、第３の可動部整風板２１を第１、２の可動部整風板６，７のどちらか一方側に移動させることで、中央部で保守点検作業を行うこともできる。
【００２５】
以上の実施の形態２におけるエレベータの整風カバーは、実施の形態１と同様な効果を奏するとともに、次に示す効果も奏する。
第１、第２の可動部整風板６，７以外に出入口１ａの開閉方向に移動する第３の可動部整風板２１を設けているので、第３の可動部整風板２１がかご室１の両側のどちらか一方に移動させることにより、かご室１の中央が開口されて昇降路機器にアクセスでき、さらに、保守点検の作業を行う範囲が広くすることができる。
【００２６】
なお、実施の形態１，２では、整風板を３分割にしたが、例えばかご室１の出入口方向の幅が小さい場合、２分割としてもよい。また、かご室１の出入口方向の幅が大きい場合、４分割以上としてもよい。また、保守点検する昇降路機器が限られるのであれば、移動する可動部整風板を一つとしてもよい。
また、第１、第２の可動部整風板６，７が被可動部である固定部整風板５あるいは第３の可動部整風板２１に対して重なるようにしたが、どちらか一方が重なるようにしてもよい。また、可動する整風板が摺動する部分がドア１ｂの開閉方向に長くなるが、分割した全ての整風板がそれぞれ重ならないようにしてもよい。
また、外れ防止部材１３が下部ガイド９に取り付けたが、上部ガイド８に取り付けてもよく、第１，２の可動部整風板の移動を制限できればよい。
【符号の説明】
【００２７】
１  かご室、１ａ  出入口、２  整風カバー、３  整流カバー、４  整風板、
５  固定部整風板、６  第１の可動部整風板、７  第２の可動部整風板、
８  上部ガイド部、９  下部ガイド部、１１  遮風部材、１２  遮風部材、
１３  外れ防止部材、２０  整風板、２１  第３の可動部整風板かご、
２２  ガイド部、２６  遮風部材、２６ａ  ブラシ部
【図１】
0005652147.tif 000002
【図２】
0005652147.tif 000003
【図３】
0005652147.tif 000004
【図４】
0005652147.tif 000005
【図５】
0005652147.tif 000006
【図６】
0005652147.tif 000007
【図７】
0005652147.tif 000008
【図８】
0005652147.tif 000009
【図９】
0005652147.tif 000010
【図１０】
0005652147.tif 000011
【図１１】
0005652147.tif 000012
【図１２】
0005652147.tif 000013
【図１３】
0005652147.tif 000014